(57)【要約】【課題】リモート電話コントロールシステムに適したノイズが無く消耗電力量の低いワイドボルテージ交直流共用コンタクターを提供する。【解決手段】可動鉄心６上に連結棒９を設け、該連結棒９のもう一端に微動スイッチ１０を連結させ、該微動スイッチ１０上の常閉接点と電磁コイル７とを直列接続し、IC回路１２とホールドコイル１３とを並列接続し、該可動鉄心６下端を電磁コイル７の範囲内に設置することにより、該電磁コイル７が該可動鉄心６を吸引してコンタクター１５作動と同時に通電を遮断するが、該ホールドコイル１３が代わって該可動鉄心６を吸引し続けることで消耗電力及びノイズを極力抑える。【選択図】        図１
2005235515.tif 000002
【特許請求の範囲】
【請求項１】
交直流共用コンダクターにおいて、
ケース内下部に静止鉄心を設け、上部には可動銅片を設け、該可動銅片両端上部には可動銀接点を設け、該可動銀接点下方には静止銀接点を設け、該静止銀接点は固定銅片上に設け、該可動銅片の中央に該可動鉄心を連結させ、該可動鉄心下端と該ケースとの間にはコンプレッションスプリングを設け、且つ該可動鉄心下端を電磁コイルの範囲内に位置させ、
該可動鉄心上には連結棒を設け、該連結棒のもう一端には微動スイッチを連結させ、該微動スイッチを該電磁コイル，IC回路，ホールドコイルと接続し、該可動鉄心下端も該コイルの範囲内に位置させることを特徴とするノイズが無く消耗電力量の低いワイドボルテージ交直流共用コンタクター。
【請求項２】
該コンタクターにおいて、該微動スイッチ上の常閉接点と該電磁コイルとは直列接続し、該IC回路とホールドコイルとは並列接続にすることを特徴とする請求項１記載のノイズが無く消耗電力量の低いワイドボルテージ交直流共用コンタクター。
【請求項３】
該コンタクターに加え、電話機と電話入力ライン、音声システム、キーボード並びにソフトプログラムを用いることにより、リモート電話コントロールシステムを構成することを特徴とする請求項１記載のノイズが無く消耗電力量の低いワイドボルテージ交直流共用コンタクター。
【請求項４】
該コンタクターには、更にリモート電話コントロールシステムを連結させることでコントローラを形成し、該コントローラを直接室内電話に挿設した後、該電話入力ラインを電話回路と接続することにより、コントロールの目的を達成することを特徴とする請求項１記載のノイズが無く消耗電力量の低いワイドボルテージ交直流共用コンタクター。
【請求項５】
該コンタクターは、操作を更に確実なものとすべく、コントロールしようとする所望の電器が可視化されていることを特徴とする請求項１記載のノイズが無く消耗電力量の低いワイドボルテージ交直流共用コンタクター。
【発明の詳細な説明】
【技術分野】
【０００１】
本発明はノイズが無く消費電力量の低いワイドボルテージ交直流共用コンタクターに係り、特に電話機や音声システム、キーボードやソフトプログラムと共にリモート電話コントロールシステムを構成する交直流共用のコンタクターに関わる。
【背景技術】
【０００２】
従来のコンタクター（接触器）とは、主に電磁石の吸引力により、接点を開閉し、負荷の自動開閉用として使用されるものである。
【発明の開示】
【発明が解決しようとする課題】
【０００３】
公知の交流コンタクターは使用の過程において、電磁コイルが可動鉄心を引き付け続けるよう、電磁コイルを常時通電した状態に保っておかなければならなく、長期の通電状態からノイズを引き起こし、消耗する電力量が大きく寿命が短いといった欠点がある。ではノイズの問題を解決するためには体積を更に大きくする必要があるが、もともと体積が大きい上、更に体積を大きくすれば非実用的になってしまい、またラインが複雑であることから現在の技術ではリモート電話コントロールシステムに応用しても実用性に欠けてしまい、広く普及しない原因となっている。
そこで上述の欠点に鑑み、リモート電話コントロールシステムに適した本発明のノイズが無く消耗電力量の低いワイドボルテージ交直流共用コンタクターを提供する。
【課題を解決するための手段】
【０００４】
可動鉄心を吸引する際、ホールドコイルで代替とし、電磁コイルは短時間での作動状態のみとなることから電圧コントロール範囲が広くなるが、該電圧範囲には以下の三種を含むものとする。
（１）２〜１２０Ｖ，DC／AC共用。２，４，６，８，９，１２，２４，４８，６５，８０，      １００，１１０，１２０Ｖ等のDC／AC電圧を含む。
（２）１００〜２５０Ｖ，DC／AC共用。１００，１１０，１２０，２００，２２０，２４０      ，２５０Ｖ等のDC／AC電圧を含む。
（３）２００〜４８０Ｖ，DC／AC共用。２００，２２０，２４０，２５０，２７５，３８０      ，４１５，４４０，４８０Ｖ等のDC／AC電圧を含む。
適応範囲が広いため、該技術は0．1A〜2000Aの範囲の交流或いは直流コンタクターに運用され、構造が簡単で消耗電力量が少なくコストも低い、また容積が小さい等のメリットにより、製品に応用した際の実用性に優れる。
では上述の目的を達するため、具体的には可動鉄心上に連結棒を設け、該連結棒のもう一端に微動スイッチを連結させ、該微動スイッチ上の常閉接点と電磁コイルとを直列状態にし、IC回路とホールドコイルとを並列状態にし、該可動鉄心下端をコイルの範囲内に設置することにより、該電磁コイルが該可動鉄心を吸引してコンタクター作動と同時に通電を遮断するが、該ホールドコイルが代わって該可動鉄心を吸引し続けることで消耗電力及びノイズを極力抑える。
【発明の効果】
【０００５】
本発明によると、従来のコンタクターの有する問題を解決し、電話を利用して電器のリモートコントロールを行うのに適したコンタクターを提供することに成功した。
【発明を実施するための最良の形態】
【０００６】
図１，２に示すように、本発明のノイズが無く消耗電力量の低いワイドボルテージ交直流共用コンタクターにはケース１内側下部に静止鉄心１４が設けられており、該ケース１内上部には可動銅片２が設けられており、該可動銅片２両端上には動銀接点３が設けられており、また固定銅片４が該ケース１上にて連結されている。該固定銅片４には静止銀接点５が設置されており、且つ該静止銀接点５は該動銀接点３の真下に対応した位置に設けられており、該可動銅片２中央部には可動鉄心６が連結されており、該可動鉄心６下部は電磁コイル７の範囲内に位置する。また該可動鉄心６下段と該ケース１上の静止鉄心１４間にはコンプレッションスプリング８が設けられている。該可動鉄心６上に連結棒９を設け、該連結棒９のもう一端には微動スイッチ１０を連結するが、該微動スイッチ１０は常閉接点１１であり、該常閉接点１１は該電磁コイル７と直列となっており、該電磁コイル７上にシグナルが生じるとIC回路１２に出力され、該IC回路１２はホールドコイル１３と直列状態を呈している。該常閉接点１１，電磁コイル７の回路とIC回路１２並びにホールドコイル１３は並列となっており、該ホールドコイル１３は該ケース１内の下部に位置し、該可動鉄心６下段は該ホールドコイル１３の範囲内に位置し、また該電磁コイル７は該可動鉄心６を吸い付けることから、該ホールドコイル１３は該電磁コイル７の下部に設置され、こうして本発明であるコンタクター１５の構成が完成する。
【０００７】
該コンタクター１５が作動していない場合は、図１に示すように、該電磁コイル７は通電しておらず、該可動鉄心６が引き付けられていなく、該動銀接点３と該静止銀接点５とが接触していない状態にあり、よって該コンタクター１５が作動しないのであり、また該コンタクター１５が作動する際は、図１，２に示すように、該電磁コイル７が通電し（スイッチKが電気的に導通するのに同じ）、該可動鉄心６を吸引し、該コンプレッションスプリング８の弾力に抗して該可動銅片２が下がり、該動銀接点３と該固定銅４上の静止銀接点５とが接触して連結された状態となり、該コンタクター１５が作動状態に入る。該動銀接点３と該静止銀接点５が導通した瞬間、該可動鉄心６上の連結棒９が下がり、これと連結された微動スイッチ１０が作動し、該電磁コイル７と直列した常閉接点１１が断たれ、このとき該電磁コイル７は通電せず、これにより生じたシグナルが該IC回路１２によって採集されて該ホールドコイル１３と直列したライン中にアウトプットされ、該ホールドコイル１３が通電する。既に下がった該可動鉄心６は該ホールドコイル１３の範囲内に位置するため、該ホールドコイル１３の出力は小さいが該可動鉄心６を引き付けることができ、該コンプレッションスプリング８の弾力に抗して動かず、該コンタクター１５が作動し続ける。
【０００８】
該ホールドコイル１３は巻き数が少なくまた直径が細く、出力が小さいという利点があり、該電磁コイル７に取って代わるものとする。該電磁コイル７が該可動鉄心６を引き付けるためには相当な電力を必要とするが、仮に該可動鉄心６を既に引き付けた後に該電磁コイル７の通電によって引き付けるのであれば、ノイズと消耗電力量が大きくなってしまうため、小さなホールドコイル１３に替えることで、騒音と消耗電力量を抑えることができるためである。
該コンタクター１５全体外部の回路を断ってしまうと、該ホールドコイル１３及び該電磁コイル７が作動しなくなり、該可動鉄心６が該コンプレッションスプリング８の弾力により上へ戻り、該コンタクター１５が作動を止め、外部から再度通電したときに上述のステップが繰り返される。
該IC回路１２は該電磁コイル７を電気的に導通した状態から遮断された状態となる際に形成されるマイナスパルスシグナルを採集した後、該ホールドコイル１３を通電させ、且つ該電磁コイル７と並列していることから、本来の回路が導通して該コンタクター１５を作動状態に保つ。
【０００９】
図３から図５に示すように、該コンタクター１５及び電話機１６，電話入力ライン１７，音声システム及びキーボード１８等を組み合わせることにより、リモート電話コントロールシステムを構成し、該システムによって電器１９をコントロールするが、該電話機１６の電話入力ライン１７で音声システムとキーボード１８に接続し、該音声システムとキーボード１８中にはソフトがプログラミングされており、アウトプットされると該コンタクター１５に至り、該コンタクター１５の一端には一般の室内電話が接続され、もう一端には電器１９が接続されることで、末端である使用者に提供される。
【００１０】
電話をかけると、図４に示すように該電器１９をリモート操作しようとする場合ではパスワードを入力し、順を追って該プログラムを処理して行き、つまり該音声システムとキーボード１８が該コンタクター１５中の電磁コイル７（図２中のスイッチKが電気的に導通）し、該可動鉄心６を吸引し、該動銀接点３と該静止銀接点５とが接触し、室内の電話回路によって電器１９をリモート操作（オン／オフ等）し、同時に該可動鉄心６上の連結棒９が該可動鉄心６に伴って下がり、該微動スイッチ１０を作動させ、該電磁コイル７と直列する該常閉接点１１が断たれ、該電磁コイル７が通電状態から断たれた状態になり、シグナルが生じて該IC回路１２でこれが採集された後に該ホールドコイル１３を連結した状態にし、該電磁コイル７が該コンプレッションスプリング８の弾力を克服して該可動鉄心６を引き続き吸引し続ける。仮に該電器１９をオフにしたい場合には、同様にしてプログラムを処理して行き、最後に該音声システム及びキーボード１８から該コンタクター１５の電磁コイル７にまでアウトプットされ（図２中のスイッチKが断たれた状態になり）、該可動鉄心６は該コンプレッションスプリング８の弾力により該動銀接点３，静止銀接点５間の接触を断ち、該コンタクター１５が作動しない下、いずれの電器１９も作動しない。
【００１１】
多数の電器１９をコントロールしたい場合には、相対する数量分のコンタクター１５を増設すればよく、また上述のリモートコントロールシステムに連結することでコントローラ２０形成し、図５に示すように室内電話に接続した後、電話入力ラインを電話回路に接続することでも、コントロールの目的を達成することができる。
【図面の簡単な説明】
【００１２】
【図１】本発明の構造を示す図である。
【図２】本発明における電磁コイル，コイル，IC回路及び微動スイッチにより構成される回路を示す図である。
【図３】本発明における実施例であり、リモート電話コントロールシステムを示す図である。
【図４】本発明における実施例であり、リモート電話コントロールシステムを示すフローチャートである。
【図５】本発明における実施例であり、リモート電話コントロールシステムの受話器外観説明図である。
【符号の説明】
【００１３】
１  ケース
２  可動銅片
３  動銀接点
４  固定銅
５  静止銀接点
６  可動鉄心
７  電磁コイル
８  コンプレッションスプリング
９  連結棒
１０  微動スイッチ
１１  常閉接点
１２  IC回路
１３  ホールドコイル
１４  静止鉄心
１５  コンタクター
１６  電話機
１７  電話入力ライン
１８  音声システムとキーボード
１９  電器
２０  コントローラ
【図１】
2005235515.tif 000003
【図２】
2005235515.tif 000004
【図３】
2005235515.tif 000005
【図４】
2005235515.tif 000006
【図５】
2005235515.tif 000007